(57)【要約】【課題】  隠し絵や隠し文字を削り出す際に出る削りくずは、手や服に付着し易くいったん付くと払ってもなかなか落ちにくく嫌なものである。そこで、削りくずの除去装置の付いた、隠し絵や隠し文字の削り出し機を提供したい。【解決手段】  小型電気掃除機１の先にビニール管５をつなぎ、その先にヘッド７と一体化したにぎり６をつなぎ、にぎりを鉛筆の様にもってヘッドで隠し絵や隠し文字の上をこすり、ヘッドの突起部分の先端につけた刃１１で隠し絵や隠し文字を削り出し、同時にヘッドの溝１２から削りくずを吸引し除去できる様にした。【選択図】図１
0003123631.tif 000002
【実用新案登録請求の範囲】
【請求項１】
小型電気掃除機（１）と隠し絵や隠し文字を削り出す請求項２記載のヘッド（７）を組み合わせて、隠し絵や隠し文字を削り出すと同時に削り取ったくずごみを吸引し除去できる様にした、削りくずの除去装置付き隠し絵や隠し文字の削り出し機。
【請求項２】
中空でパイプ状になっているにぎり（６）の一端を切断し、切断した面と垂直になる様に中空のにぎりに等間隔に何本か溝（１２）を掘り、突起した部分（１０）と溝（１２）の部分が交互になる様に加工して、突起した部分（１０）の先端に付けた刃（１１）で、隠し絵や隠し文字を削り出し、削り出しの際にでた削りくずは溝（１２）で吸引し除去できる様にした、請求項１記載の隠し絵や隠し文字の削り出し機に使うヘッド。
【考案の詳細な説明】
【技術分野】
【０００１】  本考案は、隠し絵や隠し文字を削って映し出す機械に関するものである。
【背景技術】
【０００２】  過日、宝くじ売り場に立ち寄ったら、売り場で働いている知人から「スクラッチ（その場で隠し絵や隠し文字を削って映し出して賞金を決定させる宝くじ）の削りくずは本当に困るわ、手や服に着くと洗ってもはたいてもなかなか落ちないし、毒性はないと聞いているがそれも心配。」という。確かに自分でスクラッチをやってみると手には着くし財布には着くで、払ってもなかなか落ちにくいことが分かる。言われてみれば先日寿司屋でもコンビニでも、サービス券として景品の当たる削りくじをいただき削ったが、食を扱っている所などでは相当に困っているに違いない。【０００３】  自動化や機械化の進んだ我が国では、このスクラッチとは場面の違いがあるとしても、大型の機械での削りと削りくずの同時処理という様なことは行われているに違いない。しかし隠し絵や隠し文字の削り出しの分野では、恐らく日本の最先端を走っていると思われる宝くじのスクラッチがこの現状である。ということはいまだに隠し絵や隠し文字を削り出しなから、その場で削りくずを除去してしまう様な、コンパクトな隠し絵や隠し文字の削り出し機は開発されていないのではないかと思う。
【考案の開示】
【考案が解決しようとする課題】
【０００４】  そこで、隠し絵や隠し文字を削って映し出す際に問題になる、手や服に付着して払ってもなかなか落ちないということや不衛生感に陥るということに着目して、隠し絵や隠し文字の削り出しの際に発生する削りくずの除去方法を本考案の解決したい課題とした。【０００５】  この課題を解決していくには、削り出しで出た削りくずは飛散する前に除去する必要があるので、削り出しを直接行っているヘッド７に解決の鍵があると考えた。
【課題を解決するための手段】
【０００６】  削りくずを除去するには吹き飛ばすか、吸い取るか、何かに付着させるかなどいくつかの方法が考えられるが、吹き飛ばしたのでは背景技術の０００２の項でも触れたが真の課題の解決に結びつかず、何かに付着させて除去するには付着させる物体の処理の問題が生じてくるので、ここは吸い取りによる除去を選択した。そこで、小型電気掃除機１の先にビニール管５を接続しその先端に工夫した特殊なヘッド７を着ければ解決するのではないかと考えて以下の様な手段を講じてみた。【０００７】  まず市販の小型電気掃除機１を利用して、その掃除機の先に付いている蛇腹ホース２に、連結器８を付け、その連結器に細いビニール管５を取り付け、その先ににぎり６の部分を取り付けて削りくずの除去に必要な吸引力が有るかどうか確認した。その結果吸引する力は十分に得られることが分かった。【０００８】  削り出しについては、コインやプラスチックや金属等々いろいろな材質で、また削り出す刃の形も換えながら実験を試みたが、材質が異なっても比較的良く削れるし爪でも削れるのでほとんど問題はなかった。そこで、次に削りくずを取り除く役割を果すヘッド７を、にぎり６の先端を加工してにぎりと一体化となる様に作った。（一体化のメリットについてはこの後の００１３の項に記す。）なお、にぎり６はビニール管につながっている単に細いパイプであり、ヘッドで隠し絵や隠し文字を削り出す際に、鉛筆の様につかんで使用するだけの部分である。【０００９】  ヘッドのつくりは本課題を解決する上での最重要な点で、請求項の２にもなってい部分である。ここであらためて説明を加えれば、中空のパイプであるにぎり６の一端をパイプの切断面と垂直になる様に加工して何本かの溝１２を作り、突起した部分１０と溝の部分が交互になる様にして、突起した部分の先端には削る刃１１を付け、その刃で隠し絵や隠し文字を削り出し、その際に出る削りくずは溝を吸い込み口として吸引し除去するつくりとした。ちなみにパイプの外径は１３〜１５ｍｍ前後、肉厚は２〜３ｍｍ前後が適当である。【００１０】  ７のヘッドの部分の形はおおむね図３と図５の見取り図の様な立体になるが、この立体の突起している部分１０の先端が、隠し絵や隠し文字を削り出す刃１１に当たる部分である。刃の形は四角形ｂ、三角形ｃ、円ｄ、四角すいの上部を切断した立体の形ｅ、円すいの上部を切断した立体の形ｆ及びｇの様な日本瓦の切断面の形や球形等々いろいろな形が可能であり、その形が平面の場合でも立体の場合でも大きさは縦、横、高さあるいは直径が２〜３ｍｍという小さな形である。そして削り出すときは、にぎり６の部分を鉛筆を持つ様ににぎって、隠し絵や隠し文字の上をそれぞれの形の刃の平面、あるいはそれぞれの刃の形をつくっている辺やかどを使って削り出し、削りくずは溝１２から吸引し除去する様にした。【００１１】  溝１２は削りくずを吸引し除去する働きの他に、ヘッドへ紙や布やビニール袋など、隠し絵や隠し文字の削りくず以外の物体が吸いつくのを防ぐ働きもしてくれており、この働きは削り出しや削りくずを吸引し除去していく上で、必要で欠くことのできない働きである。
【考案の効果】
【００１２】  そこに生まれたのが、削りくずの除去装置のついた、隠し絵や隠し文字の削り出し機である。この削り出し機はほぼ完全に削り出しと削りくずの除去を行うことができ、削りくずが飛散したり手や服について困るといった問題が解消できた。またコンパクトな上に強力な掃除機としての機能も備えもっているので、事務用品としての利用や一般家庭での利用など他目的のニーズにも応えられる考案となった。
【考案の実施するための最良の形態】
【００１３】  削りくずを吸引する掃除機はコンパクトで強弱に切り換えられる装置がついているものがよい。吸引力が強弱に切り換えられれば、連結器８に設けられている吸引力の調節孔９はいらないし、途中で二股や三叉に分けて使用するにも好都合である。また、にぎり６とヘッド７が一体化していると構造がシンプルになり使い易いし、強度も保てるし、製作し易い等メリットが多い。
【００１４】  にぎり６（ヘッド７を含む）のパイプの材質は鉄でもよいが、やや重いし硬すぎる。アルミは柔らかいので、削り落とす際に隠し絵や隠し文字の下地を傷をつけないのでよりベターといえる。他にはやや硬質のプラスチックも材質として適している。
【実施例】
【００１５】  以下、添付図面に従って一実施例を説明する。１は小型電気掃除機だが吸引力の関係で電池を電源とするものより、交流電気を電源とするものの方が望ましい。【００１６】  また、この隠し絵や隠し文字の削り出し機はコンパクトで軽量なので、肩に掛けて持ち運びができてとても便利。更にスイッチ３も頻繁に利用する宝くじ売り場などでは６のにぎりの部分の収納をペン立ての様に上から差し込む形にし、使用しない時はにぎり６を上から差し込んでおき、使う時に引き抜くとスイッチ３が自動でＯＮになるようにするなどの設定をしておくと、いっそう使い易い。
【図面の簡単な説明】
【００１７】
【図１】本考案の概要を示す全体図である。
【図２】本考案のにぎりの部分拡大図である。
【図３】本考案のヘッドの見取り図である。
【図４】本考案の刃の形である。
【図５】本考案のヘッドの見取り図である。
【符号の説明】
【００１８】  １  小型電気掃除機
２  蛇腹ホース
３  スイッチ
４  プラグ
５  ビニール管
６  にぎり
７  ヘッド
８  連結器
９  吸引力の調節孔
１０  突起部分
１１  刃
１２  溝
ａ  省略記号
ｂ  四角形
ｃ  三角形
ｄ  円
ｅ  四角すいの切断立体
ｆ  円すいの切断立体
ｇ  日本瓦の切断面の形
【図１】
0003123631.tif 000003
【図２】
0003123631.tif 000004
【図３】
0003123631.tif 000005
【図４】
0003123631.tif 000006
【図５】
0003123631.tif 000007
【手続補正書】
【提出日】平成18年4月14日(2006.4.14)
【手続補正１】
【補正対象書類名】実用新案登録請求の範囲
【補正対象項目名】請求項１
【補正方法】変更
【補正の内容】
【請求項１】
小型電気掃除機（１）と隠し絵や隠し文字を削り出すヘッド（７）を組み合わせて、隠し絵や隠し文字を削り出すと同時に削り取ったくずごみを吸引し除去できる様にした、削りくずの除去装置付き隠し絵や隠し文字の削り出し機。